(57)【要約】【課題】保存中にケース内の発熱剤が反応したり、被加熱材を加熱する際に発熱剤が出てしまうことが高度に抑制されている加熱ユニットを安定して製造する方法、及び該加熱ユニットを備えた加熱容器の提供を目的とする。【解決手段】本発明の製造方法は、加熱ユニット１を製造する方法であって、防湿シート５０を、シール部５１の切り込み部５２の周辺部分を残してフランジ１３に貼着する工程（１）と、破断用紐７０を切り込み部で開口部１２に折り返す工程（２）と、前記切り込み部５２の周辺部分をフランジ１３に貼着する工程（３）と、水蒸気透過シート６０を貼着する工程（４）と、を含むことを特徴とする。また、本発明の加熱容器は加熱ユニット１を備えている。【選択図】図１
2010184039.tif 000002
【特許請求の範囲】
【請求項１】
開口部を有するケースと、前記開口部を密封する防湿シートと、前記防湿シート上に設けられ、水蒸気を透過する水蒸気透過シートと、前記ケースの内部に収容された水袋と、前記ケースの内部に収容され、水和反応により発熱する発熱剤と、前記水袋及び前記防湿シートを破断するための破断用紐とを具備し、
前記ケースの前記開口部にフランジが形成され、該フランジに前記防湿シートが貼着されており、
前記防湿シートの前記フランジに貼着されるシール部に、前記フランジの幅よりも短い切り込み部が形成されており、
前記破断用紐の一端が前記ケースの内部から、前記水袋の水が封入されていない部分を通り、かつ前記シール部を通って前記切り込み部から前記ケースの外部に引き出されている加熱ユニットを製造する方法であって、
前記防湿シートを、前記シール部の前記切り込み部の周辺部分を残して前記フランジに貼着する工程（１）と、
前記破断用紐を前記切り込み部で前記開口部側に折り返す工程（２）と、
前記防湿シートの前記切り込み部の周辺部分を前記フランジに貼着する工程（３）と、
前記水蒸気透過シートを貼着する工程（４）と、を含むことを特徴とする加熱ユニットの製造方法。
【請求項２】
前記工程（３）の貼着と工程（４）の貼着とを同時に行う、請求項１に記載の加熱ユニットの製造方法。
【請求項３】
前記フランジの前記工程（１）で前記防湿シートが貼着される範囲内に、前記破断用紐の形状に対応する凹部が形成されている、請求項１又は２に記載の加熱ユニットの製造方法。
【請求項４】
請求項１〜３のいずれかの製造方法により得られる加熱ユニットと、該加熱ユニットを収容する容器本体とを具備し、前記加熱ユニットに備えられた前記破断用紐の一端が、前記容器本体を貫通して前記容器本体の外部に引き出されている加熱容器。
【発明の詳細な説明】
【技術分野】
【０００１】
本発明は、加熱ユニットの製造方法及び加熱容器に関する。
【背景技術】
【０００２】
食材（例えば弁当）等の被加熱材を収容すると共に、収容した被加熱材を加熱することが可能な加熱容器として、水和反応により水蒸気と熱とを発生する水和反応式の加熱ユニットを備えた加熱容器が知られている。
【０００３】
水和反応式の加熱ユニットとしては、ケース内に水袋と生石灰等の発熱剤とが収容されると共に、ケース開口部に防湿シートが貼着され、破断用紐にて水袋と防湿シートとを同時に破断させて、水和反応を引き起こして加熱する加熱ユニットが示されている（例えば、特許文献１）。
しかし、特許文献１の加熱ユニットでは、破断用紐は防湿シートを貫通して引き出されているため、ケース内部の気密性が充分に維持できないことがあった。ケース内部の気密性が低くなってケース内部に湿気が入ると、発熱剤の劣化が生じてしまう。
【０００４】
そこで、防湿シートに貫通孔を設ける必要がなく、前記加熱ユニットに比して内部の気密性がより高い加熱ユニットとして、図９に示すように、ケース２１０内に、吸水シート２２０と、水袋２３０と、生石灰等の発熱剤２４０とが収容されると共に、ケース２１０の開口部２１２に防湿シート２５０と水蒸気透過シート２６０が貼着され、破断用紐２７０にて水袋２３０と防湿シート２５０とを同時に破断させて、水和反応を引き起こして加熱する加熱ユニット２０１が示されている（特許文献２）。
【０００５】
加熱ユニット２０１では、防湿シート２５０はシール部２５１がケース２１０のフランジ２１３に貼着されるが、破断用紐２７０を通過させる部分は他の部分に比べて貼着する幅を狭くしている。これにより、破断用紐２７０を引っ張って水袋２３０と防湿シート２５０を破断する際に、防湿シート２５０のシール部２５１が破断されやすくなるため、容易に水和反応を起こして被加熱材を加熱することができる。
【先行技術文献】
【特許文献】
【０００６】
【特許文献１】特開２００２−３６０４３９号公報
【特許文献２】特開２００５−３０４６９１号公報
【発明の概要】
【発明が解決しようとする課題】
【０００７】
しかし、加熱ユニット２０１におけるシール部２５１の破断用紐２７０が通過している部分は、貼着する際に該破断用紐２７０の厚みのために押圧しにくく、またその貼着幅も狭いことから、貼着不良が生じるおそれがある。
防湿シート２５０の貼着不良が生じると、その部分からケース２１０内部に湿気が入り、保存時に該湿気によって発熱剤２４０が反応してしまう。また、破断用紐２７０により防湿シート２５０を破断する際、シール部２５１における破断用紐２７０を通過させる部分周辺で防湿シート２５０がうまく破断されずに捲り上がり、それに伴って水蒸気透過シート２６０も捲られて開口することで、該開口から発熱剤が出てしまうおそれがある。
そのため、貼着不良を生じさせずに防湿シートを安定してしっかりとフランジに貼着することで、保存中にケース内の発熱剤が反応したり、被加熱材を加熱する際に発熱剤が出てしまうことをより高度に抑制できる加熱ユニットが望まれている。
【０００８】
本発明は、保存中にケース内の発熱剤が反応したり、被加熱材を加熱する際に発熱剤が出てしまうことが高度に抑制されている加熱ユニットを安定して製造する方法、及び該製造方法により得られる加熱ユニットを備えた加熱容器の提供を目的とする。
【課題を解決するための手段】
【０００９】
本発明は、前記課題を達成するために以下の構成を採用した。
［１］開口部を有するケースと、前記開口部を密封する防湿シートと、前記防湿シート上に設けられ、水蒸気を透過する水蒸気透過シートと、前記ケースの内部に収容された水袋と、前記ケースの内部に収容され、水和反応により発熱する発熱剤と、前記水袋及び前記防湿シートを破断するための破断用紐とを具備し、前記ケースの前記開口部にフランジが形成され、該フランジに前記防湿シートが貼着されており、前記防湿シートの前記フランジに貼着されるシール部に、前記フランジの幅よりも短い切り込み部が形成されており、前記破断用紐の一端が前記ケースの内部から、前記水袋の水が封入されていない部分を通り、かつ前記シール部を通って前記切り込み部から前記ケースの外部に引き出されている加熱ユニットを製造する方法であって、前記防湿シートを、前記シール部の前記切り込み部の周辺部分を残して前記フランジに貼着する工程（１）と、前記破断用紐を前記切り込み部で前記開口部側に折り返す工程（２）と、前記防湿シートの前記切り込み部の周辺部分を前記フランジに貼着する工程（３）と、前記水蒸気透過シートを貼着する工程（４）と、を含むことを特徴とする加熱ユニットの製造方法。
［２］前記工程（３）の貼着と工程（４）の貼着とを同時に行う、［１］に記載の加熱ユニットの製造方法。
［３］前記フランジの前記工程（１）で前記防湿シートが貼着される範囲内に、前記破断用紐の形状に対応する凹部が形成されている、［１］又は［２］に記載の加熱ユニットの製造方法。
［４］［１］〜［３］のいずれかの製造方法により得られる加熱ユニットと、該加熱ユニットを収容する容器本体とを具備し、前記加熱ユニットに備えられた前記破断用紐の一端が、前記容器本体を貫通して前記容器本体の外部に引き出されている加熱容器。
【発明の効果】
【００１０】
本発明の製造方法によれば、保存中にケース内の発熱剤が反応したり、被加熱材を加熱する際に発熱剤が出てしまうことが高度に抑制された加熱ユニットを安定して製造できる。
また、本発明の加熱容器は、前記加熱ユニットを備えているため、保存中にケース内の発熱剤が反応したり、被加熱材を加熱する際に発熱剤が出てしまうことが高度に抑制されている。
【図面の簡単な説明】
【００１１】
【図１】本発明の加熱ユニットの一実施形態例を示した分解斜視図である。
【図２】図１の加熱ユニットの防湿シートの切り込み部周辺の拡大図である。
【図３】本発明の加熱ユニットを製造する様子を示した工程図である。
【図４】本発明の加熱ユニットを製造する様子を示した工程図である。
【図５】本発明の加熱ユニットを製造する様子を示した工程図である。
【図６】本発明の加熱ユニットを製造する様子を示した工程図である。
【図７】本発明の加熱ユニットを製造する様子を示した工程図である。
【図８】本発明の加熱容器の一実施形態を示した分解斜視図である。
【図９】従来の加熱ユニットの一例を示した分解斜視図である。
【発明を実施するための形態】
【００１２】
＜加熱ユニットの製造方法＞  
［加熱ユニット］  
図１及び２に基づいて、本発明の製造方法により得られる加熱ユニットの一実施形態例について詳述する。
本実施形態の加熱ユニット１は、図１に示すように、正方形の角部が切欠された形状の底面１１を有し、上端に開口部１２を有する箱形のケース１０内に、水袋３０と、水和反応により水蒸気と熱とを発生する発熱剤４０とが収容されている。また、ケース１０の内面全体（底面及び側壁）に沿って、吸水性のあるシート２０が設けられており、この内部に、底面側から水袋３０及び発熱剤４０が順次配置されている。
【００１３】
ケース１０は、加熱ユニットのケースに通常用いられるケースを用いることができ、例えば、樹脂製（ポリプロピレン製等）のケースが挙げられる。ケース１０の上端部の開口部１２にはフランジ１３が形成されている。
シート２０は、ケース１０内部で破断用紐７０を支持できるものであればよく、例えば紙製のものが挙げられる。また、本実施形態のように、吸水紙等の水袋３０から流出した水を吸収できるものを用いることもできる。
【００１４】
水袋３０は、複数の樹脂層（ポリエチレン層等）の間に水分を透過しない防湿層（アルミニウム層等）を挟持した積層体フィルム等を熱溶着にて袋状に成形し、その内部に水を封入したもので、水袋３０の端部（図示では三方の端部）には適宜水が封入されていない熱溶着部３１が形成されている。そして、一端部の熱溶着部３１の略中央部には、後述する破断用紐を挿通するための切り込み部３２が形成されている。
発熱剤４０は、水和反応により水と水蒸気を発生して被加熱材を加熱できるものであればよく、例えば、粒状の生石灰（酸化カルシウム）等が挙げられる。
【００１５】
加熱ユニット１では、ケース１０のフランジ１３上に、防湿シート５０と水蒸気透過シート６０とが順次貼着されている。
防湿シート５０は、水分を透過しないシートであればよく、例えば、複数の樹脂層の間に防湿層を挟持した積層体フィルム等からなり、その周縁部が熱溶着にてケース１０のフランジ１３に貼着されるシートが挙げられる。以下、この熱溶着部をシール部５１という。この防湿シート５０によって、ケース１０の開口部１２が密閉されている。
また、防湿シート５０には、シール部５１にフランジ１３の幅よりも短い切り込み部５２が形成されている。
【００１６】
水蒸気透過シート６０は、水蒸気を透過するものを用いることができ、例えば、不織布が挙げられる。また、水蒸気透過シート６０は、その周縁部が、接着剤等からなるシール材６１を介して防湿シート５０に貼着されている。
なお、防湿シート５０と水蒸気透過シート６０とをケース１０のフランジ１３上に貼着する形態は、前記形態に限定されず、例えば、防湿シート５０についても水蒸気透過シート６０と同様に、接着剤等からなるシール材を介してケース１０のフランジ１３に貼着される形態としてもよい。
【００１７】
さらに、加熱ユニット１には、水袋３０及び防湿シート５０を破断するための破断用紐７０が備えられている。
この例では、切り込み部３２を挟んで２箇所に、ホッチキス針等からなる固定具３３が取り付けられることで、水袋３０の熱溶着部３１がシート２０の底面に固定されている。破断用紐７０は、シート２０と水袋３０との間、水袋３０の切り込み部３２、防湿シート５０のシール部５１を順次通って、切り込み部５２に挿通されてケース１０の内部から外部に引き出されている。さらに、ケース１０の外部に引き出された破断用紐７０は、開口部１２側へと折り返され、防湿シート５０と水蒸気透過シート６０との間を通り、その一端が防湿シート５０の他側まで引き廻されている。
【００１８】
一方、破断用紐７０の他端はシート２０に支持されている。
この例では、シート２０の固定具３３が取り付けられた側と反対側の側壁略中央部に、切り込み部２１が形成されている。そして、破断用紐７０の他端には切り込み部２１の幅よりも大きい結び目７１が形成されており、この結び目７１をストッパとして機能させ、切り込み部２１に破断用紐７０の他端を係止して支持する構成になっている。
【００１９】
水蒸気透過シート６０は、破断用紐７０を上記の如く配設した後に取り付けられており、水蒸気透過シート６０の裏面側の周縁部における破断用紐７０が通っていない箇所がシール材６１を介して防湿シート５０に貼着されている。これによって、破断用紐７０が加熱ユニット１から引き出される位置が固定されている。
【００２０】
加熱ユニット１では、加熱ユニット１の外部に引き出された破断用紐７０の一端を引っ張ることで、防湿シート５０と水袋３０とが同時に破断される。
すなわち、破断用紐７０の一端を引っ張ると、防湿シート５０はケース１０に固定されているため移動しないが、破断用紐７０の切り込み部５２に係止されている部分が引っ張られて防湿シート５０の他端部側に向けて移動するため、防湿シート５０が破断される。
水袋３０についても同様である。すなわち、水袋３０はシート２０に固定されているため移動しないが、破断用紐７０の水袋３０の切り込み部３２に係止されている部分が引っ張られて他端部側に移動するため、水袋３０が破断される。
【００２１】
防湿シート５０と水袋３０とが同時に開裂されることで、水袋３０に封入されていた水が袋の外部に流出し、水袋３０上に配置された発熱剤４０と接触する。その結果、発熱剤４０の水和反応が進行して水蒸気と熱とが発生し、これらが防湿シート５０の開裂した箇所を通り、さらに水蒸気透過シート６０を透過して加熱ユニット１の外部に放出されることで、被加熱材を良好に加熱することができる。
加熱ユニット１では、防湿シート５０が、加熱ユニット１の外部からケース１０内に侵入する水分を遮断し、ケース１０内に収容された発熱剤４０が劣化することを防止するが、破断用紐７０により、水袋３０のみならず、防湿シート５０をも同時に破断するので、被加熱材を加熱する際には、防湿シート５０が水蒸気と熱との放出を阻害することはない。
【００２２】
また、破断用紐７０は、防湿シート５０と水蒸気透過シート６０との間を通って配設されているため、破断用紐７０を引っ張った際に、防湿シート５０は破断されるが、水蒸気透過シート６０は破断されない。このように防湿シート５０のケース１０と反対側に、破断用紐７０により破断されない水蒸気透過シート６０を設けることで、水蒸気と熱との放出を阻害することなく、水和反応により生成される固形物等が加熱ユニット１の外部に漏洩することを防止できる。この水蒸気透過シート６０は、防湿シート５０の破断された箇所から放出された水蒸気を分散させて、水蒸気透過シート６０から均一に放出し、被加熱材を均一に加熱するという機能も併せ持つ。
【００２３】
以上のように、加熱ユニット１により被加熱材を良好に加熱することができる。
シート２０は、ケース１０内部で破断用紐７０を支持する破断用紐支持材として用いるが、本実施形態の加熱ユニット１では、ケース１０の内面全体に沿ってシート２０を設け、この内部に水袋３０と発熱剤４０とが配置されている。このような形態は、ケース１０と反応物とが直接接することがなく、シート２０が断熱機能を呈するため、水和反応によって高温が発生してもケース１０の熱変形や加熱容器外への熱伝導が抑制される。
さらに、本実施形態では断熱材として吸水性のあるシート２０を用いていることで、吸水によって、水和反応の発熱による断熱材自身の万一の発火等を抑制することもできる。
【００２４】
また、加熱ユニット１では、シート２０内において、底面側から水袋３０及び発熱剤４０が順次配置されている。これによって、シート２０の他、水袋３０も断熱機能を呈し、ケース１０の発熱による影響をより一層低減できる。また、破断用紐支持材としても機能するシート２０と水袋３０とを固定具３３で固定し、その後、発熱剤４０を充填すればよいので、製造も容易である。
さらに、発熱剤４０には先端が尖った形状のものもあり、発熱剤４０が水袋３０の下側に配置されていると、輸送時等に、発熱剤４０によって水袋３０にピンホール等が形成されるおそれがある。しかし、発熱剤４０を水袋３０の上側に配置する場合には、係るおそれがない。この理由は定かではないが、本発明者は、水袋３０がクッション材として機能し、発熱剤４０の水袋３０に対する作用が緩和されるためであると推察している。
【００２５】
さらに、加熱ユニット１では、破断用紐７０が、シール部５１の幅よりも短い切り込み部５２から引き出されていることで、破断用紐７０においてシール部５１にて防湿シート５０及びケース１０に固着されている部分（以下、「紐固着部分」という。）は、シール部５１の幅、すなわちフランジ１３の幅より狭くなっている。これにより、高気密性を保ちつつ、破断用紐７０を容易にシール部５１から剥離し、防湿シート５０を簡易に開裂することができる。
【００２６】
破断用紐７０をシール部５１から容易に剥離するには、高気密性を保てる範囲内で紐固着部分の長さａ（図２）をなるべく短くすることが好ましい。すなわち、紐固着部分の長さａ（ｍｍ）と、シール部５１の幅ｂ（ｍｍ）（フランジ１３の幅と同等）の比（ａ／ｂ）を０．４〜０．６とすることが好ましい。長さａは切り込み部５２の長さを調整することにより調整できる。
好ましい形態の具体例としては、シール部５１の幅ｂが１０ｍｍである場合、紐固着部分の長さａを４ｍｍ程度とする形態等が挙げられる。
【００２７】
また、加熱ユニット１では切り込み部５２が設けられていることで、破断用紐７０を引っ張ると、破断用紐７０が切り込み部５２を起点としてその延在方向に沿って滑らかに移動し、防湿シート５０が良好に開裂される。
【００２８】
［製造方法］
以下、本発明の加熱ユニットの製造方法の一実施形態例として、前述の加熱ユニット１の製造方法について説明する。
本実施形態の製造方法は、防湿シート５０を、シール部５１の切り込み部５２の周辺部分５１Ａ（図２）を残してフランジ１３に貼着する工程（１）と、破断用紐７０を切り込み部５２で開口部１２側に折り返す工程（２）と、防湿シート５０の切り込み部５２の周辺部分５１Ａをフランジ１３に貼着する工程（３）と、水蒸気透過シート６０を貼着する工程（４）とを含む方法である。
【００２９】
本実施形態の製造方法では、まず、破断用紐７０に結び目７１を形成し、該結び目７１がストッパとなるようにして、破断用紐７０をシート２０の切り込み部２１に挿入する。次いで、破断用紐７０がシート２０と水袋３０の間、水袋３０の切り込み部３２を順次通過するようにして、シート２０と水袋３０とを固定具３３で固定し、それらをシート２０がケース１０の内部に沿うように挿入して、水袋３０上に発熱剤４０を配置する（図３）。
次いで、防湿シート５０でケース１０の開口部１２を覆い、破断用紐７０を防湿シート５０の切り込み部５２に通してケース１０の内部から外部に引き出した状態とする（図４）。
【００３０】
次いで、工程（１）において、シール部５１における切り込み部５２の周辺部分５１Ａを除くシール部分５１Ｂをフランジ１３に熱溶着により貼着する（図４）。工程（１）においては、シール部５１における周辺部分５１Ａを貼着させず、破断用紐７０を、フランジ１３と防湿シート５０とでシール部分５１Ｂに固着させる。
【００３１】
このとき、フランジ１３におけるシール部分５１Ｂに相当する範囲内（工程（１）において貼着される範囲内）で破断用紐７０の形状に対応する凹部１４（図１参照）が形成されていれば、シール部分５１Ｂにおいて破断用紐７０周辺を押圧することが容易になるため、ケース１０内部の高度な気密性をより実現しやすくなる。
すなわち凹部１４は破断用紐７０の前記紐固着部分の長さａを有する凹部であり、この凹部１４に沿って破断用紐７０が防湿シート５０の切り込み部５２まで導かれる。
【００３２】
本発明の製造方法では、防湿シート５０のシール部分５１Ｂの貼着の確実性を高め、気密性に優れた加熱ユニット１をより確実に得る点から、工程（１）を２回繰り返すことが好ましい。
【００３３】
工程（１）の後、工程（２）において、ケース１０の内部から引き出された破断用紐７０を、防湿シート５０の切り込み部５２で開口部１２側へと折り返す（図５）。
【００３４】
次いで、工程（３）において防湿シート５０のシール部５１における切り込み部５２の周辺部分５１Ａをフランジ１３に熱溶着により貼着する（図６）。
工程（３）においては、開口部１２側に折り返した破断用紐７０の周辺部分５１Ｃが加熱されないように熱溶着を行う。
また、工程（３）においては、前記周辺部分５１Ａがしっかりと貼着される方法であればよく、シール部５１における前記周辺部分５１Ｃを除くシール部分５１Ｄを熱溶着することにより周辺部分５１Ａを貼着する方法が好ましい。
【００３５】
工程（４）では、防湿シート５０上に水蒸気透過シート６０を設置し、シール材６１を介して防湿シート５０と水蒸気透過シート６０とを熱溶着により貼着する（図７）。シール材６１は、ケース１０から防湿シート５０の切り込み部５２にて引き出されて折り返された破断用紐７０が、水蒸気透過シート６０に固着されてしまわないように設ける。
前述のシール部５１のシール部分５１Ｄとシール材６１の形状が同じ形状であれば、同じヒートシーラを用いて熱溶着を行うことができる。
【００３６】
また、本発明の製造方法では、工程（３）におけるシール部５１の周辺部分５１Ａの貼着と、工程（４）におけるシール材６１を介した水蒸気透過シート６０の貼着とを同時に行ってもよい。すなわち、防湿シート５０のシール部５１におけるシール部分５１Ｄ（周辺部分５１Ａを含んでいる。）の貼着と、シール材６１を介した水蒸気透過シート６０の貼着を同時に行ってもよい。
また、この場合、シール部５１の周辺部分５１Ａと、シール材６１での水蒸気透過シート６０の貼着の確実性を向上させる点から、それらを同時に貼着する熱溶着を２回行うことが好ましい。
【００３７】
以上説明した本発明の製造方法によれば、貼着不良を生じさせずに、防湿シートを安定してしっかりとフランジに貼着することができる。そのため、本発明の製造方法は、保存中にケース内の発熱剤が反応したり、破断用紐による破断の際に防湿シートの端部がうまく破断されずに捲れて水蒸気透過シートにも開口が生じ、該開口から発熱剤が出てしまうことを高度に抑制できる加熱ユニットを安定して製造できる。
【００３８】
なお、本発明の加熱ユニットの製造方法は、前述の加熱ユニット１を製造する方法には限定されない。例えば、凹部１４が設けられていないケースを用いる方法であってもよく、シート２０として吸水性のないシートを用いて製造する方法であってもよい。また、シート２０として吸水性のないシートを用いる場合、該シートはケース内部で破断用紐を支持できる範囲であれば、前述のようなケース内部全体に沿うような形態でなくてもよい。
【００３９】
＜加熱容器＞
次に、図８に基づいて、前述の加熱ユニット１を備えた加熱容器の一実施形態について詳述する。
本実施形態の加熱容器２は、円状底面８１を有し、上端に開口部８２を有する外側容器本体８０と、上端に開口部９２を有する類似形状の内側容器本体９０とが重ねられた２重容器本体内に、前記加熱ユニット１が収容され、その上に、食材等の被加熱材を収容することが可能な被加熱材容器１１０と、取り外し可能な蓋体１２０とが順次取り付けられて概略構成されている。
【００４０】
容器本体のうち、外側容器本体８０は紙製である。これによって、加熱容器２内部の保温効果が高まり、被加熱材を効率良く加熱できる。しかも、加熱容器２外への熱伝導が抑制されるので、使用者は熱く感じることなく加熱容器２を持つことができる。内側容器本体９０の材質は特に制限はなく、樹脂が好ましい。容器本体を２種構造とすることは、容器本体間に介在する空気層によっても、内部の保温性が高められると同時に加熱容器２外への熱伝導が抑制される点で好適である。
【００４１】
外側容器本体８０、内側容器本体９０の側壁には、略同位置に各々貫通孔８３、９３が形成されており、加熱ユニット１から引き出された破断用紐７０は、これら貫通孔を貫通して容器本体の外部に引き出されている。
また、外側容器本体８０、内側容器本体９０の側壁上部には、各々内面側から外面側に向けて突出した複数の突出部８４、９４が互いに嵌合するように設けられている。これによって、外側容器本体８０に内側容器本体９０が取外し可能に固定され、破断用紐７０が通る貫通孔８３、９３の位置がずれないようになっている。
【００４２】
さらに、内側容器本体９０の底部には、加熱ユニット１のフランジ１３より下方が収納される加熱ユニット収納部９１が設けられている。これによって、加熱ユニット１が内側容器本体９０に取外し可能に固定され、加熱ユニット１から引き出された破断用紐７０と貫通孔８３、９３の位置がずれないようになっている。
また、加熱ユニット収納部９１の底面には、ボール紙等の断熱材１００が収容されており、加熱ユニット１の底面が直接内側容器本体９０に触れないようになっている。
【００４３】
被加熱材容器１１０は、円状底面１１１を有し、上端に開口部１１２を有する容器である。該容器は側壁の上部が外方に折り曲げられた形状を有し、この折り曲げ部１１３が外側容器本体８０と内側容器本体９０の側壁上部に嵌合し、取外し可能に固定されている。折り曲げ部１１３の上端面１１４は平坦面となっている。また、折り曲げ部１１３の内側（被加熱材収容側）には上端面１１４より一段低い部分に、別の平坦面１１５が設けられており、この平坦面１１５には複数の穴部１１６が開口されている。
【００４４】
蓋体１２０は、被加熱材容器１１０の上部形状に沿った周縁部を有する樹脂材からなっている。すなわち、蓋体１２０の周縁部に沿って、被加熱材容器１１０の上端面１１４及び折り曲げ部１１３の外側部分に沿った平坦面と、側面とからなる角部１２１が設けられている。さらに、この角部１２１には、内側（被加熱材容器１１０側）から外側に向けて盛り上がった突出部１２２が複数、半径方向に延在している。
かかる突出部１２２を設けることで、被加熱材容器１１０と蓋体１２０との間に、適度な隙間が形成されるので、この隙間を介して、発熱反応によって発生する水蒸気や熱が適度に外部に放出される。これによって、被加熱材容器１１０の内圧上昇が抑えられ、蓋体１２０の被加熱材容器１１０からの離脱が抑えられる。
【００４５】
本実施形態の加熱容器２では、被加熱材容器１１０内に被加熱材を収容し、蓋体１２０を取り付けた状態で、外側容器本体８０から引き出された破断用紐７０を引っ張ることで、加熱ユニット１から水蒸気と熱とが発生され、これらが穴部１１６を通って被加熱材容器１１０内に導かれ、収容された被加熱材が加熱される。また、被加熱材として食材を収容する場合には、発生した水蒸気と熱により、食材を蒸して調理することも可能である。
なお、被加熱材を蒸す必要がなく、被加熱材容器１１０の下方から加熱するだけでも充分に加熱できる場合には、被加熱材容器１１０に穴部１１６を設けなくてもよい。
【００４６】
本実施形態の加熱容器２は前記加熱ユニット１を備えたものであり、さらには、加熱ユニット１の下方に断熱材１００を設け、容器本体を２重構造としているので、加熱ユニット１のケース１０や、外側容器本体８０、内側容器本体９０に対して影響を与えることなく、発熱反応を実施することができる。すなわち、反応熱によるケース１０等の熱変形や加熱容器２外への熱伝導を抑制しつつ、被加熱材を良好に加熱することができる。
【産業上の利用可能性】
【００４７】
本発明の加熱ユニット及び加熱容器は、食材等の被加熱材を収容すると共に、これを必要な際に加熱する加熱容器、例えば弁当箱等に好ましく利用できる。
【符号の説明】
【００４８】
１  加熱ユニット  １０  ケース  １２  開口部  １３  フランジ  ３０  水袋  ４０  発熱剤  ５０  防湿シート  ５１  シール部  ５１Ａ  切り込み部の周辺部分  ５２  切り込み部  ６０  水蒸気透過シート  ７０  破断用紐  ２  加熱容器  ８０、９０  容器本体  １１０  被加熱材容器  １２０  蓋体
【図１】
2010184039.tif 000003
【図２】
2010184039.tif 000004
【図３】
2010184039.tif 000005
【図４】
2010184039.tif 000006
【図５】
2010184039.tif 000007
【図６】
2010184039.tif 000008
【図７】
2010184039.tif 000009
【図８】
2010184039.tif 000010
【図９】
2010184039.tif 000011